(57)【要約】【課題】ケーブルの敷設作業において、それぞれのケーブルの個体における識別作業を容易にすること。【解決手段】複数のケーブルから任意のケーブルを他のケーブルと識別するケーブル識別方法であって、前記ケーブルの表面に、複数の文字からなる文字列、複数の数字からなる数字列、及び複数の記号からなる記号列の少なくとも１種類からなる識別用印刷列が印刷されており、前記識別用印刷列の一部を不可視化したり、前記識別用印刷列の一部を、前記識別用印刷列の残部とは異なる色に着色したりすることによって、複数のケーブルの内の任意のケーブルを他のケーブルと識別する。【選択図】図２
2018073749.tif 000002
【特許請求の範囲】
【請求項１】
複数のケーブルから任意のケーブルを他のケーブルと識別するケーブル識別方法であって、
前記ケーブルの表面に、複数の文字からなる文字列、複数の数字からなる数字列、及び複数の記号からなる記号列の少なくとも１種類からなる識別用印刷列が設けられ、
前記識別用印刷列の一部を不可視化し、前記識別用印刷列の可視部分によって、複数のケーブルの内の任意のケーブルを他のケーブルと識別する
ことを特徴とするケーブル識別方法。
【請求項２】
前記識別用印刷列の不可視化を、前記識別用印刷列の一部を塗りつぶすことにより行うことを特徴とする請求項１に記載のケーブル識別方法。
【請求項３】
前記識別用印刷列の不可視化を、前記識別用印刷列の一部を切削することにより行うことを特徴とする請求項１に記載のケーブル識別方法。
【請求項４】
前記ケーブルを、前記識別用印刷列における列の途中で切断することにより、前記識別用印刷列の一部を不可視化することを特徴とする請求項１に記載のケーブル識別方法。
【請求項５】
前記切断されたケーブルの切断端部の近傍における前記識別用印刷列の部分によって、前記複数のケーブルの内の前記任意のケーブルを前記他のケーブルと識別することを特徴とする請求項４に記載のケーブル識別方法。
【請求項６】
複数のケーブルから任意のケーブルを他のケーブルと識別するケーブル識別方法であって、
前記ケーブルの表面に、複数の文字からなる文字列、複数の数字からなる数字列、及び複数の記号からなる記号列の少なくとも１種類からなる識別用印刷列が設けられ、
前記識別用印刷列の一部を、前記識別用印刷列の残部とは異なる色に着色することにより、前記複数のケーブルの内の前記任意のケーブルを前記他のケーブルと識別する
ことを特徴とするケーブル識別方法。
【請求項７】
表面に、複数の文字からなる文字列、複数の数字からなる数字列、及び複数の記号からなる記号列の少なくとも１種類からなる識別用印刷列が印刷され、
前記識別用印刷列の一部を不可視化又は着色可能に構成されている
ことを特徴とするケーブル。
【発明の詳細な説明】
【技術分野】
【０００１】
本発明は、ケーブル識別方法及びケーブルに関する。
【背景技術】
【０００２】
従来、建設現場などにおいて、複数のケーブルを互いに識別するために、ケーブルの表面に、製造会社名やケーブルの長さを表す表記以外に、ケーブルの個体を示す表記を印字したり、ケーブルの敷設後にケーブルに表示板を取り付けたりすることが行われている。
【０００３】
特許文献１には、ケーブル表面にあらかじめ固有の識別マークを印字することによってケーブルを識別する識別方法が開示されている。また、特許文献２には、ケーブルの表裏双方において、互いに印字位置をずらして識別記号や負荷名称等の情報を印字するケーブルの印字方法が開示されている。
【先行技術文献】
【特許文献】
【０００４】
【特許文献１】特開平１０−１２６９１４号公報
【特許文献２】特開平１０−１７２３６３号公報
【発明の概要】
【発明が解決しようとする課題】
【０００５】
しかしながら、上述した従来のケーブルの識別方法においては、ケーブルの個体を識別するための印刷を巻枠ごとに実行する必要がある。そのため、ケーブルを製造する際に所定の長さごとにケーブルの製造プロセスを中断し、いわゆる段替えを複数回行う必要が生じる。段替えが複数回必要になると、ケーブルの識別作業が容易になったとしても、ケーブルの生産性を向上させることが困難であった。さらに、ケーブルに表示板等を取り付ける方法を採用しても、表示板等は敷設後にケーブルに取り付ける部品であることから、建設現場などでの敷設時におけるケーブルの識別作業において、作業性の向上には寄与しないという問題があった。
【０００６】
本発明は、上記に鑑みてなされたものであって、その目的は、ケーブルの敷設作業において、それぞれのケーブルの個体の識別作業を容易にすることが可能な、ケーブル識別方法及びケーブルを提供することにある。
【課題を解決するための手段】
【０００７】
上述した課題を解決し、上記目的を達成するために、本発明の一態様に係るケーブル識別方法は、複数のケーブルから任意のケーブルを他のケーブルと識別するケーブル識別方法であって、前記ケーブルの表面に、複数の文字からなる文字列、複数の数字からなる数字列、及び複数の記号からなる記号列の少なくとも１種類からなる識別用印刷列が設けられ、前記識別用印刷列の一部を不可視化し、前記識別用印刷列の可視部分によって、複数のケーブルの内の任意のケーブルを他のケーブルと識別することを特徴とする。
【０００８】
本発明の一態様に係るケーブルの識別方法は、上記の発明において、前記識別用印刷列の不可視化を、前記識別用印刷列の一部を塗りつぶすことにより行うことを特徴とする。
【０００９】
本発明の一態様に係るケーブルの識別方法は、上記の発明において、前記識別用印刷列の不可視化を、前記識別用印刷列の一部を切削することにより行うことを特徴とする。
【００１０】
本発明の一態様に係るケーブルの識別方法は、上記の発明において、前記ケーブルを、前記識別用印刷列における列の途中で切断することにより、前記識別用印刷列の一部を不可視化することを特徴とする。
【００１１】
本発明の一態様に係るケーブルの識別方法は、上記の発明において、前記切断されたケーブルの切断端部の近傍における前記識別用印刷列の部分によって、前記複数のケーブルの内の前記任意のケーブルを前記他のケーブルと識別することを特徴とする。
【００１２】
本発明の一態様に係るケーブルの識別方法は、複数のケーブルから任意のケーブルを他のケーブルと識別するケーブル識別方法であって、前記ケーブルの表面に、複数の文字からなる文字列、複数の数字からなる数字列、及び複数の記号からなる記号列の少なくとも１種類からなる識別用印刷列が設けられ、前記識別用印刷列の一部を、前記識別用印刷列の残部とは異なる色に着色することにより、前記複数のケーブルの内の前記任意のケーブルを前記他のケーブルと識別することを特徴とする。
【００１３】
本発明の一態様に係るケーブルは、表面に、複数の文字からなる文字列、複数の数字からなる数字列、及び複数の記号からなる記号列の少なくとも１種類からなる識別用印刷列が印刷され、前記識別用印刷列の一部を不可視化又は着色可能に構成されていることを特徴とする。
【発明の効果】
【００１４】
本発明に係るケーブル識別方法及びケーブルによれば、ケーブルの敷設作業において、それぞれのケーブルの個体における識別作業を容易にすることができる。
【図面の簡単な説明】
【００１５】
【図１】図１は、第１実施例によるケーブルの表面を示す平面図である。
【図２】図２は、第１実施例によるケーブルの表面を示す平面図である。
【図３】図３は、第２実施例によるケーブルの表面を示す平面図である。
【図４】図４は、第３実施例によるケーブルの表面を示す平面図である。
【図５】図５は、第４実施例によるケーブルの表面を示す平面図である。
【図６】図６は、第５実施例によるケーブルの表面を示す平面図である。
【図７】図７は、第６実施例によるケーブルの表面を示す平面図である。
【図８】図８は、第７実施例によるケーブルの表面を示す平面図である。
【発明を実施するための形態】
【００１６】
以下に、図面を参照して本発明に係るケーブル識別方法の実施形態について説明する。なお、以下の実施形態により本発明が限定されるものではない。また、各図面において、同一又は対応する構成要素には適宜同一の符号を付している。また、図面は模式的なものであり、各要素の寸法の比率などは現実のものとは異なる場合があることに留意すべきである。また、図面相互間においても互いの寸法の関係や比率が異なる部分が含まれている場合がある。
【００１７】
まず、本発明の一実施形態によるケーブルについて説明する。図１及び図２は、一実施形態によるケーブルを示す平面図である。図１に示すように、例えば光ファイバケーブルなどのケーブル１においては、表面に被覆層１０が被覆されている。
【００１８】
（第１実施例）
次に、上述したケーブル１が複数存在する場合に、複数のケーブル１から任意の１本のケーブル１を他のケーブルと識別する第１実施例によるケーブル識別方法について説明する。  
【００１９】
図１に示すように、第１実施例によるケーブル１においては、ケーブル１の被覆層１０の表面で端部近傍に、複数の数字からなる数字列２ａが印刷されている。第１実施例においては、複数の数字からなる数字列２ａによって、識別用印刷列２が構成される。
【００２０】
そして、図２に示すように、例えば敷設作業を行う作業者などが、複数のケーブル１の内の任意のケーブル１において、数字列２ａの内の少なくとも一部を、例えば油性インクなどによって塗りつぶしたり、切削具などの工具によって削り取ったりする。これにより、数字列２ａの内の一部の数字が不可視化される。図２（Ａ）においては、数字の「２」のみが不可視化された状態を示す。図２（Ｂ）においては、数字の「６」、「７」、「８」が不可視化された状態を示す。図２（Ｃ）においては、数字の「２」、「５」が不可視化された状態を示す。
【００２１】
複数のケーブル１の内の任意のケーブル１に対して、図２（Ａ）に示すように例えば１つの数字「２」のみ不可視化する。その上で、他のケーブル１においては、数字「２」のみが不可視化されたケーブル１が存在しないようにする。これによって、複数のケーブル１から図２（Ａ）に示す数字「２」のみが不可視化されたケーブル１を識別できる。
【００２２】
同様に、図２（Ａ）に示す特定のケーブル１以外の他のケーブル１において、さらに他の特定のケーブル１に対しては、図２（Ａ）に示すケーブル１とは異なるように、図２（Ｂ）に示すように、例えば複数の数字「６」、「７」、「８」を不可視化する。その上で、さらに他のケーブル１においては、複数の数字「６」、「７」、「８」が不可視化されたケーブルが存在しないようにする。これによって、複数のケーブル１から図２（Ｂ）に示すケーブル１を識別できる。さらに、図２（Ｃ）に示すように、図２（Ａ）、（Ｂ）に示すケーブル１とは異なるように、例えば複数の数字「２」、「５」を不可視化する。そして、これらの作業を順次行うことにより、複数のケーブル１において、数字列２ａの少なくとも一部を、互いに異なるように不可視化する。これによって、複数のケーブル１の個体をそれぞれ識別できる。
【００２３】
第１実施例によれば、複数のケーブル１のそれぞれの個体において、図２（Ａ）〜（Ｃ）に示すように、互いに異なる数字の集合を不可視化することによって、複数のケーブル１のそれぞれの個体を互いに識別できる。ここで、複数のケーブル１のそれぞれにおける互いの個体の識別は、数字列２ａの内の不可視化した数字に基づいて行うことも、可視部分の数字に基づいて行うことも可能である。
【００２４】
（第２実施例）
次に、第２実施例によるケーブル識別方法について説明する。図３は、第２実施例による切断後のケーブル１Ａの被覆層１０の表面を示す平面図である。
【００２５】
図３に示すように、第２実施例によるケーブル１Ａにおいては、第１実施例によるケーブル１と同様に、被覆層１０の表面で端部近傍に複数の数字からなる数字列２ａが印刷されている。
【００２６】
そして、例えば敷設作業を行う作業者などが、複数のケーブル１Ａの内の任意のケーブル１Ａにおいて、数字列２ａの途中における隣り合う数字の間を、例えば切断具などの工具によって切断する。なお、切断された部分である端尺４は、例えば廃棄される。これにより、ケーブル１Ａの端部から数字列２ａの所定の部分までが不可視化される。図３においては、数字列２ａの少なくとも一部である数字「０」〜「３」までが削除されて不可視化され、ケーブル１Ａの切断端部３の近傍に数字「４」が残る。換言すると、ケーブル１Ａの切断端部３の近傍に例えば数字「４」が残るように、ケーブル１Ａを切断する。その上で、他のケーブル１Ａにおいては、ケーブル１Ａの切断端部３の近傍の数字が「４」であるケーブル１Ａが存在しないようにする。これによって、複数のケーブル１Ａから、図３に示すケーブル１Ａの切断端部３の近傍に数字「４」が残されたケーブル１Ａを識別できる。このように、ケーブル１Ａの切断端部３の近傍の数字に基づいて、複数のケーブル１Ａから、任意のケーブル１Ａの個体を識別できる。
【００２７】
第２実施例によれば、複数のケーブル１Ａのそれぞれの個体において、ケーブル１Ａの切断端部３の近傍に残された数字が互いに異なる数字になるように、ケーブル１Ａを切断することによって、複数のケーブル１Ａのそれぞれの個体を互いに識別できる。
【００２８】
（第３実施例）
次に、第３実施例によるケーブル識別方法について説明する。図４は、第３実施例によるケーブル１Ｂの被覆層１０の表面を示す平面図である。
【００２９】
すなわち、図４（Ａ）に示すように、第３実施例によるケーブル１Ｂにおいては、第１実施例と同様にケーブル１Ｂの一方の端部近傍に数字列２ａが印刷されている。また、ケーブル１Ｂの他方の端部近傍においても、数字列２ａと同様の数字列２ｂが印刷されている。そして、図４（Ｂ）に示すように、第１実施例と同様にして、ケーブル１Ｂの一方の端部の数字列２ａの少なくとも一部を不可視化する。図４（Ｂ）においては、数字「１」、「３」、「４」が不可視化されている。一方で、ケーブル１Ｂの他方の端部近傍における数字列２ｂにおいても、一方の端部近傍における数字列２ａと同じ数字、ここでは数字「１」、「３」、「４」を不可視化する。なお、数字列２ａ，２ｂの少なくとも一部を不可視化した場合、第１実施例と同様に、他のケーブル１Ｂの個体においては、異なる集合の数字を不可視化する。これにより、複数のケーブル１Ｂから、任意のケーブル１Ｂの個体を識別できるとともに、ケーブル１Ｂの一方の端部と他方の端部とを対応させることができる。
【００３０】
第３実施例によれば、ケーブル１Ｂの一方の端部と他方の端部とが、互いに離れた２つの位置にそれぞれ敷設される場合であっても、それぞれの位置において、複数のケーブル１Ｂから同じケーブル１Ｂを選ぶことができる。
【００３１】
（第４実施例）
次に、第４実施例によるケーブル識別方法について説明する。図５は、第４実施例によるケーブル１Ｃの被覆層１０の表面を示す平面図である。
【００３２】
図５（Ａ）に示すように、第４実施例によるケーブル１Ｃにおいては、第１実施例と同様に、ケーブル１Ｃの端部近傍に数字列２ａが印刷されている。第４実施例においては、さらに数字列２ａと連続して数字列２ｃが印刷されている。これらの数字列２ａ，２ｃによって識別用印刷列２が構成される。そして、作業者などが複数のケーブル１Ｃの内の任意のケーブル１Ｃにおいて、図５（Ｂ）に示すように、数字列２ａの少なくとも一部及び数字列２ｃの少なくとも一部をそれぞれ不可視化する。図５（Ｂ）においては、数字列２ａの内の、数字「１」、「２」、「４」〜「９」が不可視化され、数字列２ｃの数字「０」〜「４」、「６」〜「８」が不可視化されている。これにより、ケーブル１Ｃの被覆層１０の表面には、数字列「０」、「３」、「５」、「９」が可視部分として残される。また、第１実施例と同様に、他のケーブル１の個体においては、異なる集合の数字を不可視化する。これにより、複数のケーブル１から、任意のケーブル１の個体を識別できる。
【００３３】
第４実施例によれば、数字列２ａ，２ｃの内の不可視化する数字を多くすることにより、複数のケーブル１Ｃのそれぞれにおける互いの個体の識別を、数字列２ａ，２ｃの内で残された可視部分の数字に基づいて行うことが容易になる。
【００３４】
（第５実施例）
次に、第５実施例によるケーブル識別方法について説明する。図６は、第５実施例によるケーブル１Ｄの被覆層１０の表面を示す平面図である。
【００３５】
図６（Ａ）に示すように、第５実施例によるケーブル１Ｄにおいては、第１実施例と同様に、ケーブル１Ｄの端部近傍に、複数の数字からなる数字列２ｄが印刷されている。第５実施例においては、第１実施例と異なり、数字列２ｄは、着色可能に構成されている。
【００３６】
具体的に、数字列２ｄは、所定の変色処理が施された部分が、所定の変色処理が施されない部分とは異なる色に変色するインクを用いて印刷されている。そして、図６（Ｂ）に示すように、例えば敷設作業を行う作業者などが、複数のケーブル１Ｄの内の任意のケーブル１Ｄにおいて、数字列２ｄの内の少なくとも一部の数字に対して、所定の変色処理を施す。これにより、数字列２ｄの一部の数字が変色する一方、残部の数字は元の状態に維持される。図６（Ｂ）においては、数字の「２」、「５」、「８」が変色された状態（図６（Ｂ）中、破線丸内）を示す。その上で、他のケーブル１Ｄの個体においては、数字の「２」、「５」、「８」が変色されたケーブル１Ｄが存在しないようにする。これによって、複数のケーブル１Ｄから図６（Ｂ）に示すケーブル１Ｄを識別できる。
【００３７】
第５実施例によれば、数字列２ｄの内の数字の集合を変色させていることにより、複数のケーブル１Ｄから、特定のケーブル１Ｄを他のケーブル１Ｄと識別できる。
【００３８】
（第６実施例）
次に、第６実施例によるケーブル識別方法について説明する。図７は、第６実施例によるケーブル１Ｅの被覆層１０の表面を示す平面図である。
【００３９】
図７（Ａ）に示すように、第６実施例によるケーブル１Ｅにおいては、ケーブル１Ｅの端部近傍に、７つのセグメント２１ａから構成されたデジタル表示記号２１が複数並べられたデジタル記号列２ｅが印刷されている。７つのセグメント２１ａは例えば、横に１セグメント、縦に２セグメントの長方形を構成し、この長方形の中央を１セグメントが横切っている。デジタル記号列２ｅは、記号としてのセグメント２１ａが配列されてなるデジタル表示記号２１のうちの一部のセグメント２１ａを選択的に不可視化することによって、文字列、数字列、又は記号列を表示可能な識別用印刷列２を構成する。
【００４０】
具体的に、デジタル表示記号２１は、７つのセグメント２１ａの内の少なくとも一部のセグメント２１ａを選択的に不可視化し、可視部分のセグメント２１ａによって所定の文字、数字、又は記号を表示できる。第６実施例においては、図７（Ｂ）に示すように、例えば敷設作業を行う作業者などが、複数のケーブル１Ｅの内の任意のケーブル１Ｅにおいて、デジタル記号列２ｅのそれぞれのデジタル表示記号２１の少なくとも一部のセグメント２１ａを不可視化して、数字列、文字列、又は記号列を表示させる。セグメント２１ａの不可視化は、例えば油性インクなどによって塗りつぶしたり、切削具などの工具によって削り取ったりすることにより行う。これにより、デジタル記号列２ｅによって、文字列、数字列、又は記号列が表示される。図７（Ｂ）に示す例においては、それぞれのデジタル表示記号２１の一部のセグメント２１ａが不可視化されて、数字の「２」、「１」、「９」と、文字としてのアルファベットの「ｄ」とが表示される。その上で、他のケーブル１Ｅの個体においては、数字の「２」、「１」、「９」と、アルファベットの「ｄ」とが表示されたケーブル１Ｅが存在しないようにする。これによって、複数のケーブル１Ｅから図７（Ｂ）に示すケーブル１Ｅを識別できる。
【００４１】
第６実施例によれば、識別用印刷列２として、７つのセグメント２１ａからなるデジタル表示記号２１を複数並べたデジタル記号列２ｅを用いていることにより、種々の数字、文字及び記号の組み合わせをケーブル１Ｅの表面に表示させることができ、識別性を向上できる。なお、第６実施例においては、１４のセグメントからなるデジタル表示記号や、１６のセグメントからなるデジタル表示記号を用いることも可能である。
【００４２】
（第７実施例）
次に、第７実施例について説明する。図８は、第７実施例によるケーブルの被覆層１０の表面を示す平面図である。
【００４３】
第７実施例によるケーブル１Ｆにおいては、第１実施例と異なり、複数の数字から構成される数字列２ａ以外にも、図８（Ａ）に示すように、少なくとも１つのアルファベットから構成される文字列２ｆをさらに含んで、識別用印刷列２を構成することも可能である。また、第７実施例の他の例によるケーブル１Ｇにおいては、図８（Ｂ）に示すように、数字列２ａ及び文字列２ｆに加えて、少なくとも１つの記号から構成される記号列２ｇをさらに含んで、識別用印刷列２を構成することも可能である。なお、数字列２ａ、文字列２ｆ、及び記号列２ｇの並び順は、図８（Ａ），（Ｂ）に限定されるものではなく、種々の並び順とすることが可能であり、さらに、数字、文字、及び記号を混合して並べて識別用印刷列２を構成することも可能である。
【００４４】
第７実施例によれば、第１実施例に比して、より多くのケーブル１Ｆ，１Ｇにおいて個体を識別可能になる。ここで、複数のケーブル１Ｆ，１Ｇのそれぞれにおける互いの個体の識別は、数字列２ａ、文字列２ｆ、又は記号列２ｇの内の不可視化した数字、文字、又は記号に基づいて行うことも、可視状態で残された数字、文字、又は記号に基づいて行うことも可能である。
【００４５】
上述した第１〜第７実施例については、それぞれ互いに、適宜組み合わせることも可能である。
【００４６】
以上説明した本発明の一実施形態によれば、ケーブルの識別作業を容易にすることができるので、例えば建設現場などの現場における敷設作業の効率を向上させることが可能になる。また、従来、ケーブルの個体を識別するために、ケーブルごとに印刷内容を変える必要が生じることから、ケーブルを発注する側にとっては発注が複数になるという問題が生じる可能性があった。この場合、ケーブルの入荷後において、複数の巻枠の置場及び複数の残長管理が必要になるため、敷設作業後には複数の端尺が発生し、産業廃棄物の量が多くなる原因になる。これに対し、上述した一実施形態においては、１種類のケーブルを生産するのみで良いため、現場での残長管理が容易になり、敷設作業後に産業廃棄物となる端尺の量を最小限にすることが可能になる。
【００４７】
以上、本発明の一実施形態について具体的に説明したが、この発明は、上述の一実施形態に限定されるものではなく、この発明の技術的思想に基づく各種の変形が可能である。例えば、上述の一実施形態において挙げた数値はあくまでも例に過ぎず、必要に応じてこれと異なる数値を用いても良い。
【００４８】
上述の一実施形態においては、ケーブルとして光ファイバケーブルを例に説明したが、必ずしも光ファイバケーブルに限定されるものではなく、例えば電線ケーブル、同軸ケーブルなどの通信ケーブル、電力ケーブル、メタルケーブル、ＬＡＮケーブル、電子線ケーブル、ハーネスといった、種々のケーブルに採用することが可能である。
【符号の説明】
【００４９】
１，１Ａ，１Ｂ，１Ｃ，１Ｄ，１Ｅ，１Ｆ，１Ｇ  ケーブル
２  識別用印刷列
２ａ，２ｂ，２ｃ，２ｄ  数字列
２ｅ  デジタル記号列
２ｆ  文字列
２ｇ  記号列
３  切断端部
４  端尺
１０  被覆層
２１  デジタル表示記号
２１ａ  セグメント
【図１】
2018073749.tif 000003
【図２】
2018073749.tif 000004
【図３】
2018073749.tif 000005
【図４】
2018073749.tif 000006
【図５】
2018073749.tif 000007
【図６】
2018073749.tif 000008
【図７】
2018073749.tif 000009
【図８】
2018073749.tif 000010